【手続補正書】
【提出日】平成20年7月25日(2008.7.25)
【手続補正１】
【補正対象書類名】特許請求の範囲
【補正対象項目名】請求項５
【補正方法】変更
【補正の内容】
【請求項５】
前記第１のパネル用基板の電極を第１の対向基板と向かい合う基板面に設け、
前記第２のパネル用基板の電極を第２の対向基板と向かい合う基板面に設け、
前記第１の対向基板と前記第２の対向基板とを対向させて配置して、第１の液晶セルと第２の液晶セルとを積層し、
前記第２のパネル用基板の突出部を、その突出方向に向かって表裏を同じ方向のまま湾曲させ、前記電極配線の先方部位を前記第１のパネル用基板の延出部上の電極に接続させることを特徴とする、請求項３に記載の表示装置。
【手続補正２】
【補正対象書類名】明細書
【補正対象項目名】０００３
【補正方法】変更
【補正の内容】
【０００３】
図１１は、従来から知られる積層型液晶表示装置の一構成例を説明するための図である。図１１に示す構成例では、第１の液晶セル１１０と第２の液晶セル１２０とを積層して形成される。第１の液晶セル１１０は、第１のパネル用基板１１１と第１の対向基板１１３との間に液晶層１１２を挟む構成であり、また、第２の液晶セル１２０についても同様に、第２のパネル用基板１２１と第２対向基板１２３との間に液晶層１２２を挟む構成である。第１のパネル用基板１１１の基板上には電極１１４が配設され、また、第２のパネル用基板１２１の基板上には電極１２４が配設され、この電極により液晶パネルの駆動信号の供給や、タッチパネルで検出した検出信号の出力を行っている。
【手続補正３】
【補正対象書類名】明細書
【補正対象項目名】００２６
【補正方法】変更
【補正の内容】
【００２６】
以下、本発明の表示装置の態様について説明する。図１〜図８を用いて、本発明の表示装置を２層の液晶セルの適用した４つの形態について説明し、図９〜図１０を用いて本発明の表示装置を３層の液晶セルの適用した各形態について説明する。
【手続補正４】
【補正対象書類名】明細書
【補正対象項目名】００３８
【補正方法】変更
【補正の内容】
【００３８】
延出部１５に第１の液晶セル１０の表示電極を駆動する集積回路を実装する方法がある（ＣＯＧ実装方式、ＣＯＧはチップオングラス）。この場合、視角補正セルは、駆動電圧が２Ｖ前後でほとんど電力を消費しないので、この集積回路に駆動信号発生回路を組み込むことは容易である。このとき、第１のパネル用基板の電極１４のうちの２本が、この集積回路から出力された信号を電極配線２４，２６に伝達するものとなる。
【手続補正５】
【補正対象書類名】明細書
【補正対象項目名】００４５
【補正方法】変更
【補正の内容】
【００４５】
表示装置１Ｂの形態では、互いのパネル用基板に形成された電極は互いに向かい合って配設され、また、電極配線２４，２６は第２のパネル用基板２１上の電極と同じ面に配設されているため、突出部２５をその突出方向に向かって表裏を同じ方向としたまま湾曲させることで、電極配線２４，２６を延出部１５上の電極１４に接続させることができる。
【手続補正６】
【補正対象書類名】明細書
【補正対象項目名】００５４
【補正方法】変更
【補正の内容】
【００５４】
一方、第２のパネル用基板２１は、プラスチック基板等の柔軟性を有した素材により形成され、少なくともその一辺に突出部２５を備える。ここで、突出部２５は、第１の液晶セル１０の延出部１５と接触し、第１のパネル用基板の電極１４と電気的な接続を行うための部分である。突出部２５上には電極配線２４，２６が配設される。この電極配線２４，２６の先端部分は、第１の液晶セル１０の延出部１５側に設けたパネル用基板の電極１４の内の２本と電気的に接続する。ここで、第２のパネル用基板２１の突出部２５は、この突出部２５を突出方向に対して１８０°分湾曲させ、電極配線２４，２６の先方部位を第１のパネル用基板１１の延出部１５上の電極１４に接続させる。
【手続補正７】
【補正対象書類名】明細書
【補正対象項目名】００６４
【補正方法】変更
【補正の内容】
【００６４】
一方、第２のパネル用基板２１は、プラスチック基板等の柔軟性を有した素材により形成され、少なくともその一辺に突出部２５を備える。ここで、突出部２５は、第１の液晶セル１０の延出部１５と接触し、第１のパネル用基板の電極１４と電気的な接続を行うための部分である。突出部２５上には電極配線２４，２６が配設される。この電極配線２４，２６の先端部分は、第１の液晶セル１０の延出部１５側に設けたパネル用基板の電極１４の内の２本と電気的に接続する。ここで、第２のパネル用基板２１の突出部２５は、この突出部２５を突出方向に対して湾曲させて開口部１６を通過させ、電極配線２４，２６の先方部位が第１のパネル用基板１１の延出部１５の下方側で、第１のパネル用基板１１の延出部１５上の電極１４に接続される。
【手続補正８】
【補正対象書類名】明細書
【補正対象項目名】００６５
【補正方法】変更
【補正の内容】
【００６５】
表示装置１Ｄの形態では、互いのパネル用基板に形成された電極は互いに背中合わせの状態で配設され、また、電極配線２４，２６は第２のパネル用基板２１上に設けられた電極（２７，２８等）と同じ面に配設されているため、突出部２５を湾曲させ、第１のパネル用基板１１に形成された開口部１６を通すことによって、電極配線２４，２６を延出部１５上の電極１４に接続させることができる。
【手続補正９】
【補正対象書類名】明細書
【補正対象項目名】００７９
【補正方法】変更
【補正の内容】
【００７９】
突出部２５ａ上には電極配線２４，２６ａ，２６ｂが配設され、突出部２５ｂ上には３本の電極配線２６ｂが配設される。突出部２５ａ上の電極配線２４，２６ａ，２６ｂの先端部分は、第１の液晶セル１０の延出部１５側に設けたパネル用基板の電極１４のうちの５本と電気的に接続し、突出部２５ｂ上の電極配線２６ｂの先端部分は、第３の液晶セル３０の延出部３５ａ側に設けたパネル用基板用電極３４，３６と電気的に接続する。ここで、第２のパネル用基板２１の突出部２５ａは、この突出部２５ａを突出方向に対して１８０°湾曲させて表裏を反対とし、電極配線２４，２６ａ，２６ｂの先方部位を第１のパネル用基板１１の延出部１５上の電極１４に接続させ、一方、第２のパネル用基板２１の突出部２５ｂは、この突出部２５ｂの突出方向に対して１８０°湾曲させて表裏を反対とし、電極配線２６ｂの先方部位を第３のパネル用基板３１の延出部３５上の電極３４，３６に接続させる。
【手続補正１０】
【補正対象書類名】明細書
【補正対象項目名】００８３
【補正方法】変更
【補正の内容】
【００８３】
電極配線２４は第２のパネル用基板２１の上下導通部２８に接続し、電極配線２６ａは第２のパネル用基板２１の主部にあるシャッター部２７に接続する。第２の対向基板２３には、シャッター部２７と平面的に重なる領域にベタ電極があり、このベタ電極と上下導通部２８は銀ペーストを介して接続する。残りの３本の電極配線２６ｂは第２のパネル用電極配線２７，２８と接続しない。 
【手続補正１１】
【補正対象書類名】明細書
【補正対象項目名】００８４
【補正方法】変更
【補正の内容】
【００８４】
図９（ｃ）は、第３のパネル用基板３１の平面図である。延出部３５ａ上には、電極配線３４と２本の電極配線３６があり、電極配線３４は上下導通部３８と接続し、電極配線３６はシャッター部３７ａ，３７ｂと接続している。シャッター部３７ａ，３７ｂは、第２の対向基板２３のシャッター部２７と平面的に重なる。さらに、第３の対向基板３３にはシャッター部３７ａ，３７ｂと平面的に重なる領域にベタ電極があり、このベタ電極と上下導通部３８は銀ペーストを介して接続する。
【手続補正１２】
【補正対象書類名】図面
【補正対象項目名】図１
【補正方法】変更
【補正の内容】
【図１】
2008112029.tif 000001
【手続補正１３】
【補正対象書類名】図面
【補正対象項目名】図３
【補正方法】変更
【補正の内容】
【図３】
2008112029.tif 000002
【手続補正１４】
【補正対象書類名】図面
【補正対象項目名】図５
【補正方法】変更
【補正の内容】
【図５】
2008112029.tif 000003
【手続補正１５】
【補正対象書類名】図面
【補正対象項目名】図７
【補正方法】変更
【補正の内容】
【図７】
2008112029.tif 000004
【手続補正１６】
【補正対象書類名】図面
【補正対象項目名】図１１
【補正方法】変更
【補正の内容】
【図１１】
2008112029.tif 000005